(57)【要約】【課題】簡易且つ容易な設定により、複数のパチンコ遊技機の図柄表示手段に亘って所定の演出表示を時系列的に連続して行わせ、演出効果をより向上させることができるパチンコ遊技機を提供する。【解決手段】現在時刻を特定可能な時計手段１３と、該時計手段１３で所定の時刻が特定されたことを条件として、図柄表示手段５に対して所定の表示（矢印）が横切る特定時刻の演出表示を行わせる演出表示制御手段１４とを備え、一の台における図柄表示手段５による特定時刻の演出表示後、隣接する他の台の図柄表示手段５による特定時刻の演出表示を順次行わせるよう各々の台の演出表示制御手段１４が設定可能とされたものである。【選択図】図７
2010046165.tif 000002
【特許請求の範囲】
【請求項１】
遊技状態に応じて所定の演出表示が可能な図柄表示手段と、
始動条件の成立により大当たり状態の抽選を行うとともに、その抽選結果に基づいた制御コマンドを送信し得る主制御基板と、
該主制御基板からの制御コマンドを受信して当該制御コマンドに応じた演出表示を前記図柄表示手段にて行わせる図柄制御基板と、
を具備し、複数台が隣接して配設されるパチンコ遊技機において、
現在時刻を特定可能な時計手段と、
該時計手段で所定の時刻が特定されたことを条件として、前記図柄表示手段に対して所定の表示が横切る特定時刻の演出表示を行わせる演出表示制御手段と、
を備え、一の台における前記図柄表示手段による前記特定時刻の演出表示後、隣接する他の台の前記図柄表示手段による前記特定時刻の演出表示を順次行わせるよう各々の台の前記演出表示制御手段が設定可能とされたことを特徴とするパチンコ遊技機。
【請求項２】
前記図柄表示手段にて前記特定時刻の演出表示を行わせる時刻を入力して前記演出表示制御手段に設定可能な入力設定手段を具備したことを特徴とする請求項１記載のパチンコ遊技機。
【請求項３】
前記入力設定手段は、前記時計手段で特定される現在時刻に応じて、前記特定時刻の演出表示を行わせる時刻の入力が許容又は禁止されることを特徴とする請求項２記載のパチンコ遊技機。
【請求項４】
前記入力設定手段は、前記特定時刻の演出表示を行わせる時刻の入力が禁止される時間帯において、遊技内容に応じて遊技者が操作可能なものであることを特徴とする請求項３記載のパチンコ遊技機。
【発明の詳細な説明】
【技術分野】
【０００１】
本発明は、複数台が隣接して配設されるパチンコ遊技機に関するものである。
【背景技術】
【０００２】
通常、パチンコ遊技機の遊技盤に配設された液晶画面等から成る図柄表示手段は、横方向に並んだ３つの図柄列（左図柄、中図柄及び右図柄）を有し、これらの図柄列にはそれぞれ複数の図柄を有している。そして、遊技球が始動口に入賞すると、図柄表示手段の各図柄列が変動表示され、順次停止表示し、その３つの図柄が同じとなって揃った場合、大入賞口を所定タイミングで開閉させ、遊技者にとって有利な特別遊技状態、即ち大当たり状態とされる。
【０００３】
近時においては、図柄変動以外の種々の演出表示を図柄表示手段で行わせ、遊技性をより向上させることが行われており、例えば特許文献１で開示されているように、店舗のホールにおける島設備に横一列に配設された複数のパチンコ遊技機の図柄表示手段に対し所定の演出表示を経時的に連続して行わせものが提案されるに至っている。具体的には、かかる従来のパチンコ遊技機においては、所定時刻になったことを条件として一列に配設された複数のパチンコ遊技機のプログラムが一斉に実行され、それら図柄表示手段に順次演出表示を行わせることにより所定の表示が経時的に連続して移動する如く見えるよう構成されていた。
【特許文献１】特開２００６−１４２１０６号公報
【発明の開示】
【発明が解決しようとする課題】
【０００４】
しかしながら、上記従来のパチンコ遊技機においては、所定時刻になったことを条件として一列に配設された複数のパチンコ遊技機のプログラムが一斉に実行されるよう構成されていたので、各パチンコ遊技機が島設備の何番目に配設されるのかを事前に把握しておき、その配設位置に応じたプログラムを各々のパチンコ遊技機に具備させる必要があった。よって、各パチンコ遊技機に具備させるプログラムが複雑になってしまうとともに、島設備におけるパチンコ遊技機の順番や全体の配設台数を変更した場合、その対応が困難になってしまうという問題があった。
【０００５】
本発明は、このような事情に鑑みてなされたもので、簡易且つ容易な設定により、複数のパチンコ遊技機の図柄表示手段に亘って所定の演出表示を時系列的に連続して行わせ、演出効果をより向上させることができるパチンコ遊技機を提供することにある。
【課題を解決するための手段】
【０００６】
請求項１記載の発明は、遊技状態に応じて所定の演出表示が可能な図柄表示手段と、始動条件の成立により大当たり状態の抽選を行うとともに、その抽選結果に基づいた制御コマンドを送信し得る主制御基板と、該主制御基板からの制御コマンドを受信して当該制御コマンドに応じた演出表示を前記図柄表示手段にて行わせる図柄制御基板とを具備し、複数台が隣接して配設されるパチンコ遊技機において、現在時刻を特定可能な時計手段と、該時計手段で所定の時刻が特定されたことを条件として、前記図柄表示手段に対して所定の表示が横切る特定時刻の演出表示を行わせる演出表示制御手段とを備え、一の台における前記図柄表示手段による前記特定時刻の演出表示後、隣接する他の台の前記図柄表示手段による前記特定時刻の演出表示を順次行わせるよう各々の台の前記演出表示制御手段が設定可能とされたことを特徴とする。
【０００７】
請求項２記載の発明は、請求項１記載のパチンコ遊技機において、前記図柄表示手段にて前記特定時刻の演出表示を行わせる時刻を入力して前記演出表示制御手段に設定可能な入力設定手段を具備したことを特徴とする。
【０００８】
請求項３記載の発明は、請求項２記載のパチンコ遊技機において、前記入力設定手段は、前記時計手段で特定される現在時刻に応じて、前記特定時刻の演出表示を行わせる時刻の入力が許容又は禁止されることを特徴とする。
【０００９】
請求項４記載の発明は、請求項３記載のパチンコ遊技機において、前記入力設定手段は、前記特定時刻の演出表示を行わせる時刻の入力が禁止される時間帯において、遊技内容に応じて遊技者が操作可能なものであることを特徴とする。
【発明の効果】
【００１０】
請求項１の発明によれば、現在時刻を特定可能な時計手段と、該時計手段で所定の時刻が特定されたことを条件として、図柄表示手段に対して所定の表示が横切る特定時刻の演出表示を行わせる演出表示制御手段とを備え、一の台における前記図柄表示手段による前記特定時刻の演出表示後、隣接する他の台の前記図柄表示手段による前記特定時刻の演出表示を順次行わせるよう各々の台の前記演出表示制御手段が設定可能とされたので、簡易且つ容易な設定により、複数のパチンコ遊技機の図柄表示手段に亘って所定の演出表示を時系列的に連続して行わせ、演出効果をより向上させることができる。
【００１１】
請求項２の発明によれば、図柄表示手段にて特定時刻の演出表示を行わせる時刻を入力して演出表示制御手段に設定可能な入力設定手段を具備したので、任意時刻に当該特定時刻の演出表示を行わせることができるとともに、設定時刻の変更を容易に行わせることができる。
【００１２】
請求項３の発明によれば、入力設定手段は、時計手段で特定される現在時刻に応じて、特定時刻の演出表示を行わせる時刻の入力が許容又は禁止されるので、入力設定手段による入力作業を時間帯によって許容又は禁止することができ、例えば営業時間外のみ入力作業を許容させれば、店員等による入力作業を可能としつつ遊技者による当該入力作業を回避することができる。
【００１３】
請求項４の発明によれば、入力設定手段は、特定時刻の演出表示を行わせる時刻の入力が禁止される時間帯において、遊技内容に応じて遊技者が操作可能なものであるため、当該入力設定手段が、特定時刻の演出表示を行わせる時刻の入力操作を行わせる設定用の操作手段と、遊技者が操作して所定の演出等を行わせる遊技用の操作手段とを兼用させることができる。
【発明を実施するための最良の形態】
【００１４】
以下、本発明の実施形態について図面を参照しながら具体的に説明する。
本実施形態に係るパチンコ遊技機は、図１及び図２に示すように、ガラス板２が取り付けられた前面枠３を有しており、かかるガラス板２から遊技者が遊技盤４を目視し得るよう構成されている。当該遊技盤４には、種々役物や複数の釘、或いは風車等が形成されている。尚、遊技盤４には、遊技球が入賞し得る始動口及び大入賞口（何れも不図示）が形成されている。
【００１５】
本実施形態において、遊技盤４の略全域には液晶表示装置等から成る図柄表示手段５が配設されており、その画面に所定の図柄や背景等を表示し得るようになっている。そして、始動条件が成立（例えば始動口に遊技球が入賞）したときに、複数の図柄（具体的には、左側、中央、右側の３つの図柄）を変動表示及び停止表示させ、特定の図柄が揃って停止表示されることにより「大当たり」状態として大入賞口を所定時間及びタイミングで開口させ、多数の遊技球を獲得できるよう構成されている。
【００１６】
更に、パチンコ遊技機１の下方右隅部にはハンドル６が配設されており、該ハンドル６の操作により受け皿７内の遊技球を遊技盤４へ打ち出すよう構成されている。また、前面枠３にはスピーカ（不図示）が配設されており、図柄表示手段５による表示内容（或いは遊技状態等）に合わせて所定の音（効果音や音声の他、所定の音楽等も含む）を出力し得るよう構成されている。かかるスピーカから発せられる音によっても遊技中の演出効果が高められている。
【００１７】
受け皿７には、遊技中の遊技者が任意タイミングで押圧操作可能とされる操作ボタン８が形成されている。かかる操作ボタン８は、本発明の入力設定手段を構成する選択ボタン８ａ、決定ボタン８ｂ及びチャンスボタン８ｃで構成されている。而して、操作ボタン８は、遊技中の遊技内容に応じて遊技者が押圧操作可能とされており、例えば図柄表示手段５による表示内容に従って操作ボタン８を操作することにより、種々演出がなされるよう構成されている。
【００１８】
パチンコ遊技機１の裏面側には、図４に示すように、主制御基板９、図柄制御基板１０、ランプ制御基板１１及び音声制御基板１２が配設されており、各基板はそれぞれ透明樹脂から成るケース内に収容されつつ所定の基板や素子と電気的に接続されている。具体的には、主制御基板９と図柄制御基板１０とが接続されて当該主制御基板９の出力信号或いは制御信号を図柄制御基板１０に送信し得るよう構成されているとともに、図柄制御基板１０とランプ制御基板１１及び音声制御基板１２とが接続されて当該図柄制御基板１０からの出力信号或いは制御信号をランプ制御基板１１及び音声制御基板１２にそれぞれ送信し得るよう構成されている。
【００１９】
主制御基板９は、パチンコ遊技機１全般に亘る遊技内容を制御するもので、同図の如く、ＣＰＵや該ＣＰＵに接続されたＲＯＭ及びＲＡＭ等で主に構成されている。かかる主制御基板１１は、始動条件の成立（始動口への遊技球の入賞）により乱数を取得し、その取得した乱数に基づき大当たり状態とすべきか否かの抽選（大当たり状態の抽選）を行うとともに、その抽選結果に基づいた制御コマンドを送信し得るものである。
【００２０】
尚、主制御基板９のＣＰＵは、始動口への入賞を検出する始動スイッチ、大入賞口への入賞を検出する大入賞口スイッチ、継続スイッチ、大入賞口を開閉動作させる大入賞口ソレノイド、普通入賞口スイッチＳＷ１、ＳＷ２とそれぞれＩ／Ｏを介して接続されている。また、主制御基板９は、始動口へ遊技球が入賞することにより、図柄表示手段５による図柄の変動表示開始条件が成立したと認識し、図柄制御基板１０に図柄変動開始信号（当たり或いははずれ情報を含む制御コマンド）を送信し得るよう制御される。
【００２１】
図柄制御基板１０は、図柄表示手段５を制御してその画面に所定の図柄を変動表示又は停止表示させたり、背景或いは演出のためのキャラクタ等を表示させるもので、上記主制御基板９と同様、ＣＰＵや該ＣＰＵに接続されたＲＯＭ及びＲＡＭ等で主に構成されている。かかるＣＰＵは、Ｉ／Ｏを介して主制御基板９のＣＰＵと接続される一方、図柄表示手段５や操作ボタン８とも接続されている。
【００２２】
そして、図柄制御基板１０は、主制御基板９からの制御コマンド（図柄変動開始信号）を受信すると、その制御コマンドに応じた表示を図柄表示手段５にて行わせるよう構成されている。例えば、主制御基板９側からは、大当たり状態とすべきか否かの判定結果が送信され、その判定結果に応じたリーチ等の演出パターンから成る図柄変動演出の選択を図柄制御基板１０側で行うようになっている。
【００２３】
また、図柄制御基板１０は、図４に示すように、そのＣＰＵ内において、時計手段１３と、演出表示制御手段１４と、記憶手段１５とを有している。時計手段１３は、現在時刻を特定可能なものである。特に、図柄制御基板１０には、パチンコ遊技機１の電源とは別個独立した電源（例えばボタン電池等）を具備しており、その別個の電源により時計手段１３が作動するようになっている。従って、停電等によりパチンコ遊技機１へ電力供給されなくても、時計手段１３への電力供給は継続されることとなり、常に正確な現在時刻を特定可能な状態とされている。
【００２４】
演出表示制御手段１４は、時計手段１３で所定の時刻（予め設定された時刻）が特定されたことを条件として、図柄表示手段５に対して所定の表示（本実施形態においては、図柄表示手段５の幅方向に延びる矢印）が横切る「特定時刻の演出表示」を行わせるものである。即ち、予め設定された時刻になると、図柄表示手段５の左端から「矢印の表示」の先端が表示され始め、その後、その矢印の表示が次第に右側へ移行する如き演出表示がなされることとなり、所定時間が経過すると矢印の基端が表示され始め、その基端が右側へ移行した段階で当該演出表示が終了することとなる。
【００２５】
図柄表示手段５にて「特定時刻の演出表示」を行わせる時刻（「特定時刻の演出表示」が開始する時刻）は、操作ボタン８を操作することにより入力して演出表示制御手段１４に設定可能とされている。かかる操作ボタン８により「特定時刻の演出表示」を行わせる時刻を入力して設定できるので、任意時刻に当該特定時刻の演出表示を行わせることができるとともに、設定時刻の変更を容易に行わせることができる。
【００２６】
ここで、本実施形態においては、図５に示すように、電源供給等が可能な島設備Ｍに複数（本実施形態においては５台）のパチンコ遊技機１ａ〜１ｅが隣接して配設されており、これらパチンコ遊技機１ａ〜１ｅのそれぞれの演出表示制御手段１４に対して「特定時刻の演出表示」を行わせる時刻（矢印表示の開始時刻）が設定可能とされている。而して、一の台（パチンコ遊技機）における図柄表示手段５による特定時刻の演出表示後、隣接する他の台（パチンコ遊技機）の図柄表示手段５による特定時刻の演出表示を順次行わせるよう各々の台（パチンコ遊技機）の演出表示制御手段１４が設定可能となっている。
【００２７】
即ち、一のパチンコ遊技機（１ａ〜１ｅ）における図柄表示手段５による特定時刻の演出表示の時間ｔ（図柄表示手段５に対して所定の表示が横切る時間）は予め把握可能であるため、その時間ｔ後にそれと隣接する他のパチンコ遊技機（１ｂ〜１ｅ）において図柄表示手段５による特定時刻の演出表示（前のパチンコ遊技機における「特定時刻の演出表示」と同じもの）を行わせることにより、隣り合う複数のパチンコ遊技機（１ａ〜１ｅ）の図柄表示手段５において経時的に連続した表示がなされるように見えるのである。
【００２８】
例えば、図６に示すように、１２時００分００秒に、パチンコ遊技機１ａにおける「特定時刻の演出表示」を開始させる場合、他のパチンコ遊技機１ｂ〜１ｅは、その時刻において当該「特定時刻の演出表示」は行われていない。そして、特定時刻の演出表示の時間ｔが経過する例えば１２時００分０２秒になると、図７に示すように、パチンコ遊技機１ａと隣接するパチンコ遊技機１ｂが「特定時刻の演出表示」を開始することとなる。
【００２９】
以下、時刻が１２時００分０４秒（図８参照）、１２時００分０６秒（図９参照）、及び１２時００分０８秒（図１０参照）と推移する毎に、パチンコ遊技機１ｃ、１ｄ、１ｅによる特定時刻の演出表示が順次開始されることとなり、本実施形態の場合、「矢印」があたかも複数台のパチンコ遊技機１ａ〜１ｅに跨って流れる如く表示されることとなる。然るに、一列に配設された複数のパチンコ遊技機のプログラムが一斉に実行される従来のものに比べ、島設備に配設された状態のパチンコ遊技機個々に対して「特定時刻の演出表示」開始時刻を設定することができ、プログラムを簡素化することができる。
【００３０】
尚、本実施形態においては、図柄制御基板１０のＣＰＵ内に記憶手段１５が形成されており、かかる記憶手段１５により、操作ボタン８によって入力設定された「特定時刻の演出表示」を行わせる時刻を記憶することが可能とされている。これにより、１度、当該時刻を設定すれば、次回以降はその時刻になると「特定時刻の演出表示」が開始されることとなり、操作性をより向上させることができる。
【００３１】
一方、ランプ制御基板１１は、主制御基板９及び図柄制御基板１０と同様に、ＣＰＵ及びＲＯＭやＲＡＭ等で構成され、装飾ＬＥＤ、ガラス枠ランプ及びサイドランプ等とＩ／Ｏを介して接続されて、これらランプ等の点灯又は点滅動作を制御するものである。そして、図柄表示手段５にて表示される演出に応じて、かかるランプ類やＬＥＤ等が所定タイミングで発光し、演出効果を高めるよう構成されている。
【００３２】
音声制御基板１２は、ＲＯＭ及びＲＡＭと接続されたＣＰＵがＩ／Ｏを介して出力手段としてのスピーカと電気的に接続されており、スピーカからの出力を所定のタイミングで行わせるよう制御するものである。かかるスピーカにより、効果音や音声に加え、上述したように図柄表示手段５にて図柄が変動表示されている間、ＢＧＭとして所定の音楽を出力させることができる。
【００３３】
次に、上記構成のパチンコ遊技機における「特定時刻の演出表示」の設定方法及び実行形態について図３のフローチャートに基づき説明する。
まず、島設備Ｍの電源から電源供給が開始されると、その電源投入から所定時間（例えば１分）経過までは演出設定時間とされる（Ｓ１）。かかる演出設定時間においては、操作ボタン８による「特定時刻の演出表示」の設定が有効（特定時刻の演出表示を行わせる時刻の入力を許容）とされ、その時間内において、例えばチャンスボタン８ｃを押圧操作することにより、設定時間の入力を開始させ得るよう構成されている。
【００３４】
また、設定時間の入力が終了した後、決定ボタン８ｂを押圧操作することにより、電源供給が停止（島設備Ｍの電源がオフ）するまでは当該設定時間の入力操作が禁止（入力が無効化）されるよう構成されている。尚、特定時刻の演出表示の起点となるパチンコ遊技機に対して隣接するパチンコ遊技機に対しては選択ボタン８ａのうち右側矢印表示ボタンを１回、その更に隣接するパチンコ遊技機に対しては選択ボタン８ｂのうち右側矢印表示ボタンを２回、以下、順次対応するパチンコ遊技機に対して同ボタンを所定回数押圧操作することにより、各パチンコ遊技機の設定時間の入力操作が行われるよう構成してもよい。
【００３５】
所定時間が経過すると、遊技可能状態となって遊技が開始される（Ｓ２）。而して、Ｓ１で設定された時刻になると、パチンコ遊技機１ａ〜１ｅによる「特定時刻の演出表示」が順次開始されることとなり、本実施形態の場合、図６〜１０に示すように、「矢印」があたかも複数台のパチンコ遊技機１ａ〜１ｅに跨って流れる如く表示されることとなる。そして、「特定時刻の演出表示」が終了（矢印の表示が右端に達した時点）すると、特定のパチンコ遊技機にのみ例えば宝箱等を表示させ、そのパチンコ遊技機が特定の遊技状態（例えば高確率遊技状態）であったことを示唆する（Ｓ４）。
【００３６】
以上のように、本実施形態によれば、現在時刻を特定可能な時計手段１３と、時計手段１３で所定の時刻が特定されたことを条件として図柄表示手段５に対して所定の表示（矢印）が横切る「特定時刻の演出表示」を行わせる演出表示制御手段１４とを備え、一の台における図柄表示手段５による「特定時刻の演出表示」後、隣接する他の台の図柄表示手段５による「特定時刻の演出表示」を順次行わせるよう各々の台の演出表示制御手段５が設定可能とされたので、簡易且つ容易な設定により、複数のパチンコ遊技機の図柄表示手段５に亘って所定の演出表示を時系列的に連続して行わせ、演出効果をより向上させることができる。
【００３７】
また、本実施形態によれば、入力設定手段としての操作ボタン８は、特定時刻の演出表示を行わせる時刻の入力が禁止される時間帯（即ち、営業時間帯）において、遊技内容に応じて遊技者が操作可能なものであるため、当該操作ボタン８（入力設定手段）が、特定時刻の演出表示を行わせる時刻の入力操作を行わせる設定用の操作手段と、遊技者が操作して所定の演出等を行わせる遊技用の操作手段とを兼用させることができる。
【００３８】
以上、本実施形態について説明したが、本発明はこれに限定されるものではなく、例えば図柄表示手段５による「特定時刻の演出表示」を矢印とするものに代えて、他の表示（例えば、図柄表示手段５の幅方向に延びる竜の表示等）であってもよく、図柄以外の例えば文字表示であってもよい。
【００３９】
また、入力設定手段としての操作ボタン８は、時計手段１３で特定される現在時刻に応じて、特定時刻の演出表示を行わせる時刻の入力が許容又は禁止されるよう構成してもよい。この場合、操作ボタン８（入力設定手段）による入力作業を時間帯によって許容又は禁止することができ、例えば営業時間外のみ入力作業を許容させれば、店員等による入力作業を可能としつつ遊技者による当該入力作業を回避することができる。
【００４０】
然るに、所定の暗唱番号を入力しなければ、図柄表示手段５にて特定時刻の演出表示を行わせる時刻を入力することができないよう構成してもよい。更に、図柄表示手段５にて特定時刻の演出表示を行わせる時刻を入力して演出表示制御手段１４に設定可能な入力設定手段を操作ボタン８とは別個に形成し、例えばパチンコ遊技機１の背面側に配設して遊技者が操作し得ないよう構成してもよい。
【００４１】
尚、本実施形態においては、図柄表示手段５が遊技盤４の略全域に形成されたものであるが、遊技盤４の略中央に固定されたセンター役物内に液晶モニタ等から成る図柄表示手段を設けたものに適用してもよい。勿論、入力設定手段として、パチンコ遊技機が具備する他の形態の操作手段（十字キーやジョイスティック等）としてもよい。また、島設備Ｍに配設されるパチンコ遊技機の台数は、本実施形態の如く５台に限定されず、複数であれば他の台数であってもよい。
【産業上の利用可能性】
【００４２】
現在時刻を特定可能な時計手段と、該時計手段で所定の時刻が特定されたことを条件として、前記図柄表示手段に対して所定の表示が横切る特定時刻の演出表示を行わせる演出表示制御手段とを備え、一の台における図柄表示手段による特定時刻の演出表示後、隣接する他の台の図柄表示手段による特定時刻の演出表示を順次行わせるよう各々の台の演出表示制御手段が設定可能とされたパチンコ遊技機であれば、外観が異なるもの或いは他の機能が付加されたものにも適用することができる。
【図面の簡単な説明】
【００４３】
【図１】本発明の実施形態に係るパチンコ遊技機を示す正面図
【図２】同パチンコ遊技機の受け皿上面を示す模式図
【図３】同パチンコ遊技機の「特定時刻の演出表示」の設定方法及び実行形態を示すフローチャート
【図４】同パチンコ遊技機の内部構成を示すブロック図
【図５】同パチンコ遊技機が島設備に複数併設された状態を示す上面模式図
【図６】同パチンコ遊技機が島設備に複数併設された状態（１２時００分００秒現在）を示す正面模式図
【図７】同パチンコ遊技機が島設備に複数併設された状態（１２時００分０２秒現在）を示す正面模式図
【図８】同パチンコ遊技機が島設備に複数併設された状態（１２時００分０４秒現在）を示す正面模式図
【図９】同パチンコ遊技機が島設備に複数併設された状態（１２時００分０６秒現在）を示す正面模式図
【図１０】同パチンコ遊技機が島設備に複数併設された状態（１２時００分０８秒現在）を示す正面模式図
【符号の説明】
【００４４】
１…パチンコ遊技機
２…ガラス板
３…前面枠
４…遊技盤
５…図柄表示手段
６…ハンドル
７…受け皿
８…操作ボタン（入力設定手段）
９…主制御基板
１０…図柄制御基板
１１…ランプ制御基板
１２…音声制御基板
１３…時計手段
１４…演出表示制御手段
１５…記憶手段
【図１】
2010046165.tif 000003
【図２】
2010046165.tif 000004
【図３】
2010046165.tif 000005
【図４】
2010046165.tif 000006
【図５】
2010046165.tif 000007
【図６】
2010046165.tif 000008
【図７】
2010046165.tif 000009
【図８】
2010046165.tif 000010
【図９】
2010046165.tif 000011
【図１０】
2010046165.tif 000012